(57)【要約】【課題】  装身具と、環状装身具とを簡単に連結することができる連結具を提供する。【解決手段】連結具３は、連結具本体４と、その連結具本体４の一端部に設けられる係合部５とを備える。連結具本体４は、ブローチ１のピン部材１０１に、その長手方向に、移動することなくあるいは移動が制限されて、取り付けられる被取付部６を有する。連結具本体４および被取付部６は、一つのコイルバネ８によって構成され、このコイルバネ８をブローチ１の裏面１ａに当接させ、コイルバネ８の線材間にピン部材１０１を圧入し、前記係合部５をネックレス２の留め具２０１の留め具本体に係合させると、ブローチ１とネックレス２とが連結される。また、コイルバネ８は、前記圧入によって、ピン部材１０１と交差して取り付けられ、ピン部材１０１よりも下方に位置する部分８ａが、ブローチ１の揺動を阻止する。【選択図】  図１
2005261865.tif 000002
【特許請求の範囲】
【請求項１】
衣服等に刺し通すピン部材を備える装身具と、本体の端部に取り付けられた留め具によって環状につながる環状装身具とを連結する連結具であって、
連結具本体と、その連結具本体を前記環状装身具に取り付けるべく、前記環状装身具の前記留め具に係合する係合部とを備え、
前記連結具本体は、前記ピン部材に、その長手方向へ移動することなく、あるいは、その長手方向への移動が制限されて、取り付けられる被取付部を有し、その被取付部を介して、前記ピン部材に、そのピン部材と交差するように取り付けられるとともに、その連結具本体の前記ピン部材よりも下方に位置する部分が、前記装身具の裏面と当接することによって、前記装身具が前記ピン部材を軸として、その軸回り方向に揺動するのを阻止することを特徴とする装身具の連結具。
【請求項２】
前記被取付部は、前記ピン部材を弾性力によって保持することにより、前記ピン部材に取り付けられることを特徴とする請求項１に記載の装身具の連結具。
【請求項３】
前記被取付部は、コイルバネから形成されてなり、
そのコイルバネの線材間に、前記ピン部材が圧入されることによって、前記コイルバネは、前記ピン部材を弾性力によって保持することを特徴とする請求項２に記載の装身具の連結具。
【請求項４】
前記被取付部は、前記ピン部材を挿通させることができる内径を有するとともに、前記ピン部材の先端部が突出することができる程度の長さを有する、管状部材であることを特徴とする請求項１に記載の装身具の連結具。
【請求項５】
前記被取付部は、前記ピン部材を挿通させることができる内径を有するとともに、軸心方向に縮むことが可能なコイルバネからなることを特徴とする請求項１に記載の装身具の連結具。
【請求項６】
前記コイルバネは、無負荷の状態において、その長さが前記ピン部材の長さより長いことを特徴とする請求項５に記載の装身具の連結具。
【請求項７】
前記留め具は、前記本体の一方の端部に取り付けられる第一の留め具と、前記本体の他方の端部に取り付けられる第二の留め具とからなり、
前記係合部は、前記連結具本体の一端部に設けられるとともに、前記第一の留め具または第二の留め具に設けられた被係合部に係合することを特徴とする請求項１ないし６のいずれか１項に記載の装身具の連結具。
【請求項８】
前記装身具は、ブローチであり、
前記環状装身具は、ネックレスであることを特徴とする請求項１ないし７のいずれか１項に記載の装身具の連結具。
【請求項９】
衣服等に刺し通すピン部材と、その先端部を受け止める受け部と、その基端部を支持する支持部とを備える装身具と、本体の一方の端部に取り付けられる第一の留め具と他方の端部に取り付けられる第二の留め具とからなる留め具によって環状につながる環状装身具とを、前記ピン部材を挿通させることができる内径を有するコイルバネを用いて連結する連結方法であって、
前記第一の留め具またはその第一の留め具と前記本体との繋ぎ部、および、前記第二の留め具またはその第二の留め具と前記本体との繋ぎ部を、前記コイルバネの線材間に圧入するようにして、そのコイルバネの線材間に保持させ、
そのコイルバネの前記内径を備える孔内に前記ピン部材を挿通し、そのピン部材の先端部を前記受け部で受け止めるようにして、前記コイルバネを、前記ピン部材に、前記支持部と前記受け部との間で取り付けることを特徴とする、装身具の連結方法。
【請求項１０】
衣服等に刺し通すピン部材と、その先端部を受け止める受け部と、その基端部を支持する支持部とを備える装身具と、本体の一方の端部に取り付けられる第一の留め具と他方の端部に取り付けられる第二の留め具とからなる留め具によって環状につながる環状装身具とを、前記ピン部材を挿通させることができる内径を有するとともに、軸心方向に縮むことが可能で、かつ、無負荷の状態において、前記ピン部材の基端部を支持する支持部と前記ピン部材の先端部を受け止める受け部との間の距離以上に長い寸法を備えるコイルバネを用いて連結する連結方法であって、
前記第二の留め具またはその第二の留め具と前記本体との繋ぎ部を、前記コイルバネの線材間に圧入するようにして、そのコイルバネの線材間に保持させ、
そのコイルバネの前記内径を備える孔内に前記ピン部材を挿通し、そのピン部材の先端部を前記受け部で受け止めるようにして、前記コイルバネを、前記ピン部材に、前記支持部と前記受け部との間で取り付け、
前記第一の留め具を、前記コイルバネの前記内径を備える孔内にその開口端から挿入するか、あるいは、前記コイルバネの線材間に圧入することを特徴とする、装身具の連結方法。
【請求項１１】
衣服等に刺し通すピン部材と、その先端部を受け止める受け部と、その基端部を支持する支持部とを備える装身具と、本体の一方の端部に取り付けられる第一の留め具と他方の端部に取り付けられる第二の留め具とからなる留め具によって環状につながる環状装身具とを、前記ピン部材を挿通させることができる内径を有するコイルバネを用いて連結する連結方法であって、
前記コイルバネの前記内径を備える孔内に前記ピン部材を挿通し、そのピン部材の先端部を、前記第一の留め具および前記第二の留め具を前記支持部と前記受け部との間における前記装身具の裏面に当接させながら、前記受け部で受け止めるようにすることで、
前記コイルバネを、前記ピン部材に、前記支持部と前記受け部との間で取り付け、かつ、前記第一の留め具またはその第一の留め具と前記本体との繋ぎ部、および、前記第二の留め具またはその第二の留め具と前記本体との繋ぎ部を、前記ピン部材に取り付けられた前記コイルバネの線材間に圧入させるようにして、そのコイルバネの線材間に保持させつつ、前記ピン部材と前記装身具の裏面との間に挟むことを特徴とする、装身具の連結方法。
【請求項１２】
衣服等に刺し通すピン部材と、その先端部を受け止める受け部と、その基端部を支持する支持部とを備える装身具と、本体の一方の端部に取り付けられる第一の留め具と他方の端部に取り付けられる第二の留め具とからなる留め具によって環状につながる環状装身具とを、前記ピン部材を挿通させることができる内径を有するとともに、軸心方向に縮むことが可能で、かつ、無負荷の状態において、前記ピン部材の基端部を支持する支持部と前記ピン部材の先端部を受け止める受け部との間の距離以上に長い寸法を備えるコイルバネを用いて連結する連結方法であって、
前記コイルバネの前記内径を備える孔内に前記ピン部材を挿通し、そのピン部材の先端部を、前記第二の留め具を前記支持部と前記受け部との間における前記装身具の裏面に当接させながら、前記受け部で受け止めるようにすることで、
前記コイルバネを、前記ピン部材に、前記支持部と前記受け部との間で取り付け、かつ、前記第二の留め具またはその第二の留め具と前記本体との繋ぎ部を、前記ピン部材に取り付けられた前記コイルバネの線材間に圧入させるようにして、そのコイルバネの線材間に保持させつつ、前記ピン部材と前記装身具の裏面との間に挟み、
前記第一の留め具を、前記コイルバネの前記内径を備える孔内にその開口端から挿入するか、あるいは、前記コイルバネの線材間に圧入することを特徴とする、装身具の連結方法。
【請求項１３】
請求項９ないし１２のいずれか１項に記載の連結方法によって、衣服等に刺し通すピン部材を備える装身具と、留め具によって環状につながる環状装身具とが連結されてなる、身飾具。
【請求項１４】
衣服等に刺し通すピン部材と、その先端部を受け止める受け部と、その基端部を支持する支持部とを備える装身具と、
本体の一方の端部に取り付けられる第一の留め具と他方の端部に取り付けられる第二の留め具とからなる留め具によって環状につながる環状装身具と、
前記ピン部材を挿通させることができる内径を有し、かつ、前記受け部と前記支持部との間において、前記ピン部材に挿通されて、そのピン部材に、その長手方向に移動することなく、あるいは、その移動が制限されるように取り付けられるとともに、前記第一の留め具および前記第二の留め具を、前記支持部と前記受け部との間の所定位置に保持するように取り付けられる、コイルバネとを備えることを特徴とする、身飾具。
【請求項１５】
前記装身具は、ブローチであり、
前記環状装身具は、ネックレスであることを特徴とする請求項１３または１４に記載の身飾具。
【発明の詳細な説明】
【技術分野】
【０００１】
この発明は、ピン部材を備える装身具と、留め具によって環状につながる環状装身具とを連結することができる装身具の連結具および連結方法、並びに、ピン部材を備える装身具と、留め具によって環状につながる環状装身具とが連結されてなる身飾具に関するものである。
【背景技術】
【０００２】
従来から、ピン部材を備える装身具としては、例えば、ブローチがあった。また、留め具によって環状につながる環状装身具としては、例えば、ネックレス等があった。一般に、ブローチは、衣服の胸元を飾る装身具として、また、ネックレスは、襟元を飾る装身具として、それぞれ別々に使用されていた。
【発明の開示】
【発明が解決しようとする課題】
【０００３】
ところで、これらブローチやネックレスは、服装や目的にあわせて使用されるものであり、その服装や目的に応じた、異なったデザインのものをいくつも所有する必要があった。
【０００４】
そこで、この発明は、例えば、ネックレスとブローチとを組み合わせて使用することで異なったデザインのネックレスとして使用することができるようにするために、ピン部材を備える装身具と、環状装身具とを簡単に連結することができる装身具の連結具および連結方法を提供することにある。また、装身具と環状装身具とが連結されてなる身飾具を提供することにある。
【課題を解決するための手段】
【０００５】
この発明に係る装身具の連結具および連結方法、並びに装身具と環状装身具とが連結されてなる身飾具は、前記目的を達成するために、次の構成からなる。すなわち、
請求項１に記載の発明に係る装身具の連結具は、衣服等に刺し通すピン部材を備える装身具と、本体に取り付けられた留め具によって環状につながる環状装身具とを連結する連結具であって、連結具本体と、その連結具本体を前記環状装身具に取り付けるべく、前記環状装身具の前記留め具に係合する係合部とを備える。そして、前記連結具本体は、前記ピン部材に、その長手方向へ移動することなく、あるいは、その長手方向への移動が制限されて、取り付けられる被取付部を有し、その被取付部を介して、前記ピン部材に、そのピン部材と交差するように取り付けられるとともに、その連結具本体の前記ピン部材よりも下方に位置する部分が、前記装身具の裏面と当接することによって、前記装身具が前記ピン部材を軸として、その軸回り方向に揺動するのを阻止することを特徴としている。
【０００６】
この装身具の連結具によれば、連結具本体は、被取付部を介して装身具のピン部材に取り付けられる。そして、係合部を環状装身具の留め具に係合させることで、連結具本体は、環状装身具に取り付けられる。これにより、装身具と環状装身具とが、環状装身具の留め具部分において連結される。また、連結具本体が、被取付部によって、ピン部材に対して長手方向に移動することなく、あるいは、移動が制限されて取り付けられるので、装身具と留め具との位置関係が保たれる。すなわち、装身具と環状装身具との位置関係が保持される。さらに、連結具本体が、ピン部材に交差するようにして取り付けられていることで、連結具本体の前記ピン部材より下方に位置する部分は、前記装身具がピン部材を軸として軸回り方向に回動しようとすると、前記装身具の裏面と当接する。したがって、この連結具は、前記装身具が、前記ピン部材を軸として、軸回り方向に揺動することを阻止する。なお、ピン部材に対してその長手方向に移動が制限されて取り付けられるとは、容易には移動し得ない状態（外力を加えれば移動する状態）で取り付けられているか、あるいは、ピン部材に対して相対的に移動するが、その移動範囲が制限されていることを意味している。
【０００７】
また、請求項２に記載の発明に係る装身具の連結具のように、請求項１に記載の装身具の連結具において、前記被取付部は、前記ピン部材を弾性力によって保持することにより、前記ピン部材に取り付けられるようにしてもよい。
【０００８】
また、請求項３に記載の発明に係る装身具の連結具のように、請求項２に記載の装身具の連結具において、前記被取付部は、コイルバネから形成されてなり、そのコイルバネの線材間に、前記ピン部材が圧入されることによって、前記コイルバネは、前記ピン部材を弾性力によって保持するのが好ましい。このように、ピン部材をコイルバネの線材間に圧入することによって、コイルバネがピン部材を挟むようにして保持するので、連結具本体は、装身具に容易に取り付けられるとともに、ピン部材に対してその長手方向に移動することなく、あるいは、移動が制限されて取り付けられる。そして、装身具と環状装身具との位置関係が保持される。また、ピン部材を圧入するのは、コイルバネの線材間であればどこでもよいので、コイルバネの長さに比例して、取り付け位置の自由度が増す。
【０００９】
また、請求項４に記載の発明に係る装身具の連結具のように、請求項１に記載の装身具の連結具において、前記被取付部は、前記ピン部材を挿通させることができる内径を有するとともに、前記ピン部材の先端部が突出することができる程度の長さを有する、管状部材であってもよい。この連結具によれば、管状部材にピン部材を挿通させることによって、連結具本体は、前記ピン部材に対してその長手方向に移動することなく、あるいは、移動が制限されて取り付けられる。
【００１０】
また、請求項５に記載の発明に係る装身具の連結具のように、請求項４に記載の装身具の連結具において、前記被取付部は、前記ピン部材を挿通させることができる内径を有するとともに、軸心方向に縮むことが可能なコイルバネからなってもよい。これによれば、ピン部材の長さが短いような装身具においては、コイルバネを縮ませるようにしてピン部材を挿通することで、様々な長さのピン部材に取り付けることができる。
【００１１】
また、請求項６に記載の発明に係る装身具の連結具のように、請求項５に記載の装身具の連結具において、前記コイルバネは、無負荷の状態において、その長さが前記ピン部材の長さより長いのが望ましい。これによれば、コイルバネを縮めるようにしてピン部材を挿通すると、コイルバネが元の長さに戻ろうとして、前記ピン部材の長さ程度に伸びるので、連結部本体は、前記ピン部材に対してその長手方向に移動することなく、あるいは、移動が制限されて取り付けられる。
【００１２】
また、請求項７に記載の発明に係る装身具の連結具のように、請求項１ないし６のいずれか１項に記載の装身具の連結具において、前記留め具は、前記本体の一方の端部に取り付けられる第一の留め具と、前記本体の他方の端部に取り付けられる第二の留め具とからなり、前記係合部は、前記連結具本体の一端部に設けられるとともに、前記第一の留め具または第二の留め具に設けられた被係合部に係合してもよい。
【００１３】
また、請求項８に記載の発明に係る装身具の連結具のように、請求項１ないし７のいずれか１項に記載の装身具の連結具において、前記装身具は、ブローチであり、前記環状装身具は、ネックレスであってもよい。これによれば、一つのネックレスであっても、ブローチを連結することで異なったデザインのネックレスとして使用することができる。
【００１４】
請求項９に記載の発明に係る装身具の連結方法は、衣服等に刺し通すピン部材と、その先端部を受け止める受け部と、その基端部を支持する支持部とを備える装身具と、本体の一方の端部に取り付けられる第一の留め具と他方の端部に取り付けられる第二の留め具とからなる留め具によって環状につながる環状装身具とを、前記ピン部材を挿通させることができる内径を有するコイルバネを用いて連結する連結方法である。この装身具の連結方法は、前記第一の留め具またはその第一の留め具と前記本体との繋ぎ部、および、前記第二の留め具またはその第二の留め具と前記本体との繋ぎ部を、前記コイルバネの線材間に圧入するようにして、そのコイルバネの線材間に保持させ、そのコイルバネの前記内径を備える孔内に前記ピン部材を挿通し、そのピン部材の先端部を前記受け部で受け止めるようにして、前記コイルバネを、前記ピン部材に、前記支持部と前記受け部との間で取り付けることを特徴とする。
【００１５】
このように、環状装身具の第一の留め具またはその第一の留め具と本体との繋ぎ部、および第二の留め具またはその第二の留め具と本体との繋ぎ部は、コイルバネの線材間に圧入されることで、そのコイルバネの線材間に保持される。そして、それら第一の留め具またはその第一の留め具と本体との繋ぎ部、および第二の留め具またはその第二の留め具と本体との繋ぎ部が保持された前記コイルバネの前記内径を備える孔内に装身具のピン部材を挿通することにより、そのコイルバネは、前記ピン部材に支持部と受け部との間で取り付けられる。したがって、前記第一の留め具またはその第一の留め具と本体との繋ぎ部、および第二の留め具またはその第二の留め具と本体との繋ぎ部は、前記コイルバネを介して、前記装身具に係止される。これにより、装身具と環状装身具とは、簡単に連結される。
【００１６】
請求項１０に記載の発明に係る装身具の連結方法は、衣服等に刺し通すピン部材と、その先端部を受け止める受け部と、その基端部を支持する支持部とを備える装身具と、本体の一方の端部に取り付けられる第一の留め具と他方の端部に取り付けられる第二の留め具とからなる留め具によって環状につながる環状装身具とを、前記ピン部材を挿通させることができる内径を有するとともに、軸心方向に縮むことが可能で、かつ、無負荷の状態において、前記ピン部材の基端部を支持する支持部と前記ピン部材の先端部を受け止める受け部との間の距離以上に長い寸法を備えるコイルバネを用いて連結する連結方法である。この装身具の連結方法は、前記第二の留め具またはその第二の留め具と前記本体との繋ぎ部を、前記コイルバネの線材間に圧入するようにして、そのコイルバネの線材間に保持させ、そのコイルバネの前記内径を備える孔内に前記ピン部材を挿通し、そのピン部材の先端部を前記受け部で受け止めるようにして、前記コイルバネを、前記ピン部材に、前記支持部と前記受け部との間で取り付け、前記第一の留め具を、前記コイルバネの前記内径を備える孔内にその開口端から挿入するか、あるいは、前記コイルバネの線材間に圧入することを特徴とする。
【００１７】
このように、環状装身具の第二の留め具またはその第二の留め具と本体との繋ぎ部は、コイルバネの線材間に圧入されることで、そのコイルバネの線材間に保持される。そして、第二の留め具またはその第二の留め具と本体との繋ぎ部が保持された前記コイルバネの前記内径を備える孔内に装身具のピン部材を挿通することにより、そのコイルバネは、前記ピン部材に支持部と受け部との間で取り付けられる。したがって、前記第二の留め具またはその第二の留め具と本体との繋ぎ部は、前記コイルバネを介して、前記装身具に係止される。そして、環状装身具の第一の留め具を、ピン部材に取り付けられた前記コイルバネの前記内径を備える孔内にその開口端から挿入するか、あるいは、前記コイルバネの線材間に圧入する。ここで、コイルバネの長さ寸法が、支持部と受け部との間の距離以上であることから、コイルバネは、その両端部が支持部と受け部とに当接するようにしてピン部材に取り付けられており、第一の留め具がコイルバネの前記孔内に挿入されたときには、その第一の留め具は、支持部あるいは受け部と干渉し、前記コイルバネから抜け出ることなく、前記コイルバネの前記孔内に保持される。また、第一の留め具がコイルバネの線材間に圧入されたときには、その第一の留め具は、コイルバネの線材間に保持される。したがって、第一の留め具は、前記コイルバネを介して、装身具に係止される。これにより、装身具と環状装身具とは、簡単に連結される。また、前述のとおり、コイルバネは、その両端部が支持部と受け部とに当接しているので、ピン部材に対して長手方向に容易に移動することがないので、第一の留め具および第二の留め具もピン部材に対して長手方向に容易に移動することがない。したがって装身具と環状装身具との位置関係が保持される。
【００１８】
請求項１１に記載の発明に係る装身具の連結方法は、衣服等に刺し通すピン部材と、その先端部を受け止める受け部と、その基端部を支持する支持部とを備える装身具と、本体の一方の端部に取り付けられる第一の留め具と他方の端部に取り付けられる第二の留め具とからなる留め具によって環状につながる環状装身具とを、前記ピン部材を挿通させることができる内径を有するコイルバネを用いて連結する連結方法である。この装身具の連結方法は、前記コイルバネの前記内径を備える孔内に前記ピン部材を挿通し、そのピン部材の先端部を、前記第一の留め具および前記第二の留め具を前記支持部と前記受け部との間における前記装身具の裏面に当接させながら、前記受け部で受け止めるようにすることで、前記コイルバネを、前記ピン部材に、前記支持部と前記受け部との間で取り付け、かつ、前記第一の留め具またはその第一の留め具と前記本体との繋ぎ部、および、前記第二の留め具またはその第二の留め具と前記本体との繋ぎ部を、前記ピン部材に取り付けられた前記コイルバネの線材間に圧入させるようにして、そのコイルバネの線材間に保持させつつ、前記ピン部材と前記装身具の裏面との間に挟むことを特徴とする。
【００１９】
このように、ピン部材をコイルバネの前記内径を備える孔内に挿通し、環状装身具の第一の留め具および第二の留め具を、装身具の裏面に当接させた状態で、前記ピン部材の先端部を受け部で受け止めるようにすると、第一の留め具またはその第一の留め具と本体との繋ぎ部、および、第二の留め具または第二の留め具と本体との繋ぎ部が、コイルバネの線材間に保持されつつ、装身具の裏面とピン部材との間に挟まれ、また、コイルバネがピン部材に取り付けられることから、第一の留め具またはその第一の留め具と本体との繋ぎ部、および、第二の留め具または第二の留め具と本体との繋ぎ部は、前記コイルバネを介して、装身具に係止される。こうして、装身具と環状装身具とは、簡単に連結される。
【００２０】
請求項１２に記載の発明に係る装身具の連結方法は、衣服等に刺し通すピン部材と、その先端部を受け止める受け部と、その基端部を支持する支持部とを備える装身具と、本体の一方の端部に取り付けられる第一の留め具と他方の端部に取り付けられる第二の留め具とからなる留め具によって環状につながる環状装身具とを、前記ピン部材を挿通させることができる内径を有するとともに、軸心方向に縮むことが可能で、かつ、無負荷の状態において、前記ピン部材の基端部を支持する支持部と前記ピン部材の先端部を受け止める受け部との間の距離以上に長い寸法を備えるコイルバネを用いて連結する連結方法である。この装身具の連結方法は、前記コイルバネの前記内径を備える孔内に前記ピン部材を挿通し、そのピン部材の先端部を、前記第二の留め具を前記支持部と前記受け部との間における前記装身具の裏面に当接させながら、前記受け部で受け止めるようにすることで、前記コイルバネを、前記ピン部材に、前記支持部と前記受け部との間で取り付け、かつ、前記第二の留め具またはその第二の留め具と前記本体との繋ぎ部を、前記ピン部材に取り付けられた前記コイルバネの線材間に圧入させるようにして、そのコイルバネの線材間に保持させつつ、前記ピン部材と前記装身具の裏面との間に挟み、前記第一の留め具を、前記コイルバネの前記内径を備える孔内にその開口端から挿入するか、あるいは、前記コイルバネの線材間に圧入することを特徴とする。
【００２１】
このように、ピン部材をコイルバネの前記内径を備える孔内に挿通し、環状装身具の第二の留め具を、装身具の裏面に当接させた状態で、前記ピン部材の先端部を受け部で受け止めるようにすると、コイルバネがピン部材に取り付けられ、かつ、第二の留め具またはその第二の留め具と本体との繋ぎ部が、ピン部材に取り付けられたコイルバネの線材間に保持されつつ、装身具の裏面とピン部材との間に挟まれることから、第二の留め具または第二の留め具と本体との繋ぎ部は、前記コイルバネを介して、装身具に係止される。そして、環状装身具の第一の留め具を、ピン部材に取り付けられたコイルバネの前記内径を備える孔内にその開口端から挿入するか、あるいは、前記コイルバネの線材間に圧入する。ここで、コイルバネの長さ寸法が、支持部と受け部との間の距離以上であることから、コイルバネは、その両端部が支持部と受け部とに当接するようにしてピン部材に取り付けられており、第一の留め具がコイルバネの前記孔内に挿入されたときには、その第一の留め具は、支持部あるいは受け部と干渉し、前記コイルバネから抜け出ることなく、前記コイルバネの前記孔内に保持される。また、第一の留め具がコイルバネの線材間に圧入されたときには、その第一の留め具は、コイルバネの線材間に保持される。したがって、第一の留め具は、前記コイルバネを介して、装身具に係止される。これにより、装身具と環状装身具とは、簡単に連結される。また、前述のとおり、コイルバネは、その両端部が支持部と受け部とに当接しているので、ピン部材に対して長手方向に容易に移動することがないので、第一の留め具および第二の留め具もピン部材に対して長手方向に容易に移動することがない。したがって装身具と環状装身具との位置関係が保持される。
【００２２】
請求項１３に記載の発明に係る身飾具は、請求項９ないし１２のいずれか１項に記載の連結方法によって、衣服等に刺し通すピン部材を備える装身具と、留め具によって環状につながる環状装身具とが連結されてなる。
【００２３】
請求項１４に記載の発明に係る身飾具は、衣服等に刺し通すピン部材と、その先端部を受け止める受け部と、その基端部を支持する支持部とを備える装身具と、本体の一方の端部に取り付けられる第一の留め具と他方の端部に取り付けられる第二の留め具とからなる留め具によって環状につながる環状装身具と、前記ピン部材を挿通させることができる内径を有し、かつ、前記受け部と前記支持部との間において、前記ピン部材に挿通されて、そのピン部材に、その長手方向に移動することなく、あるいは、その移動が制限されるように取り付けられるとともに、前記第一の留め具および前記第二の留め具を、前記支持部と前記受け部との間の所定位置に保持するように取り付けられる、コイルバネとを備えることを特徴とする。
【００２４】
これによれば、環状装身具の第一の留め具および第二の留め具が、コイルバネによって支持部と受け部との間の所定位置に保持されるので、装身具と、前記第一の留め具および前記第二の留め具との位置関係が保たれる。すなわち、装身具と環状装身具とは、互いの位置関係が保持されて連結される。
【００２５】
請求項１５に記載の発明に係る身飾具のように、請求項１３または１４に記載の装飾具において、前記装身具は、ブローチであり、前記環状装身具は、ネックレスであってもよい。
【発明の効果】
【００２６】
この発明に係る装身具の連結具および連結方法、並びに、装身具と環状装身具とが連結されてなる身飾具によれば、次の効果がある。
【００２７】
装身具と環状装身具とを簡単に連結することができる。また、装身具と環状装身具との位置関係が保持されるので、装身具と、環状装身具とを見栄えよく連結することができる。
【発明を実施するための最良の形態】
【００２８】
以下、この発明に係る装身具の連結具および連結方法、並びに装身具と環状装身具とが連結されてなる身飾具を実施するための最良の形態を図面に基づいて説明する。
【００２９】
図１ないし図４は、この発明に係る装身具の連結具および連結方法、並びに装身具と環状装身具とが連結されてなる身飾具の第一の実施の形態を示す。図中符号１は、装身具としてのブローチである。このブローチ１は、衣服等に刺し通すピン部材１０１を備える。詳しくは、ブローチ１は、その裏面１ａに、横方向に延びるようにして支持される前記ピン部材１０１と、そのピン部材１０１の先端部を受け止める受け部１０２と、前記ピン部材１０１の基端部を支持する支持部１０３とを有する、ブローチ１を衣服等に取り付けるための取付具１０４を備えている。２は、環状装身具としての、ネックレスであり、例えば、真珠を数珠繋ぎに連結した本体２００と、その本体２００の端部に取り付けられるとともに、掛け止めによって前記ネックレス２を環状につなぐことができる留め具２０１とを備える。３は、ブローチ１とネックレス２とを連結する連結具である。Ｍ１は、前記ブローチ１と前記ネックレス２とが連結されてなる、身飾具、すなわち、図示実施の形態においては、前記ブローチ１と前記ネックレス２とが前記連結具３によって連結されてなる、身飾具である。
【００３０】
留め具２０１は、前記ネックレス２の前記本体２００の一方の端部に、繋ぎ部２０２ａを介して取り付けられる、一方の留め具である第一の留め具としての突状のオス留め具２０２と、前記ネックレス２の前記本体２００の他方の端部に、繋ぎ部２０３ａを介して取り付けられるとともに、前記オス留め具２０２を受け止めるように掛り合う、他方の留め具である第二の留め具としての留め具本体を構成するメス留め具２０３との一対の構成からなっている。そして、メス留め具２０３の裏面には、後述する係合部５が係合する、被係合部２０４が設けられている。詳しくは、この被係合部２０４は、例えば、前記メス留め具２０３の裏面との間に係合のための間隙を形成するように突き出て、その裏面に両端部が固着された、帯状部材からなる。
【００３１】
連結具３は、連結具本体４と、その連結具本体４の一端部（上端部）に設けられた係合部５とを備える。連結具本体４は、前記ピン部材１０１にその長手方向へ移動することなく、あるいは、その長手方向への移動が制限されて、取り付けられる被取付部６を有し、この被取付部６を介して、前記ピン部材１０１に、そのピン部材１０１と交差するように取り付けられる。そして、連結具本体４とピン部材１０１とが交差した状態で、その連結具本体４の前記ピン部材１０１よりも下方に位置する部分８ａが、前記ブローチ１の裏面１ａと当接することによって、そのブローチ１が前記ピン部材１０１を軸として、その軸回り方向に揺動するのを阻止している。
【００３２】
ここで、前記被取付部６は、前記ピン部材１０１を弾性力によって保持することにより、前記ピン部材１０１に取り付けられる弾性部材７からなる。この弾性部材７は、図示実施の形態においては、円筒形状のコイルバネ８からなる。詳しくは、このコイルバネ８は、例えば、ばね鋼からなる線材が、前記コイルバネ８の軸心方向において密着するように巻かれて形成されている。また、コイルバネ８の外径は、前記ピン部材１０１の先端部が前記受け部１０２によって受け止められた状態における、前記ブローチ１の裏面１ａと前記ピン部材１０１との離間寸法１０４ａよりも大となっている（図示実施の形態においては、コイルバネ８の外径は、前記離間寸法１０４ａの約２倍程度となっている。）。そして、このコイルバネ８を構成する線材間に、前記ピン部材１０１が圧入されることによって、前記コイルバネ８は、ピン部材１０１を弾性力によって挟むようにして保持することとなる。
【００３３】
ところで、図示実施の形態においては、前記コイルバネ８が、前記連結具本体４となっている。すなわち、一つのコイルバネ８は、前記被取付部６を構成するだけでなく、前記連結具本体４をも構成している。
【００３４】
係合部５は、前記連結具本体４を前記ネックレス２に取り付けるべく、そのネックレス２の留め具２０１、図示実施の形態においては、一対の構成からなる留め具２０１の他方の留め具、すなわち、留め具本体としてのメス留め具２０３に設けられた、被係合部２０４に係合するものである。詳しくは、前記係合部５は、例えば、先端部分が鉤状に曲げられたフック部材９からなり、そのフック部材９の後端部が、前記連結具本体４（詳しくは、前記コイルバネ８）の上端部に固着されている。もちろん、このフック部材９は、連結具本体４、すなわち、コイルバネ８と一体的に設けられてもよい。そして、前記フック部材９は、被係合部２０４に引っ掛けられるようにして、前記被係合部２０４と係合する（図２参照。）。
【００３５】
次に、以上の構成からなる連結具３の作用効果について説明する。まず、連結具本体４の被取付部６をブローチ１のピン部材１０１に取り付ける。詳細には、ブローチ１のピン部材１０１の先端部を受け部１０２から外し、ブローチ１の裏面１ａにおける、前記受け部１０２と前記支持部１０３との中間位置に、コイルバネ８（連結具本体４および被取付部６を構成している）を、その軸心方向が、横方向に延びるようにして支持されるピン部材１０１に対して、ほぼ直交するように、すなわち、図１においてほぼ鉛直方向を向くように、前記裏面１ａに当接させる。そして、コイルバネ８に、ピン部材１０１の長手方向の中間部を押し当てるようにして、そのピン部材１０１をコイルバネ８の線材間に圧入し、ピン部材１０１の先端部を受け部１０２で受け止めるようにする。これにより、コイルバネ８は、ピン部材１０１と交差するように取り付けられる。また、コイルバネ８は、弾性力によってピン部材１０１を挟むようにして保持するので、ピン部材１０１に対してその長手方向に移動することなく、あるいは、移動が制限されて取り付けられる。ここで、移動が制限されて取り付けられるとは、コイルバネ８にその弾性力に勝るような外力が加わらなければ、コイルバネ８が、ピン部材に対して相対的に移動しないことを意味している。
【００３６】
次に、連結具本体４をネックレス２に取り付ける。詳細には、前記コイルバネ８（連結具本体４）の上端部に設けられたフック部材９を、ネックレス２のメス留め具２０３に設けられた被係合部２０４に、引っ掛けるようにして、留め具２０１に係合させる。ところで、ネックレス２を環状につなぐことと、フック部材９を被係合部２０４に引っ掛けることとは、どちらが先に行われても構わない。すなわち、オス留め具２０２とメス留め具２０３とを互いに掛け止めることでネックレス２を環状につないだ後に、フック部材９を被係合部２０４に引っ掛けてもよいし、あるいは、フック部材９を被係合部２０４に引っ掛けた後に、オス留め具２０２とメス留め具２０３とを互いに掛け止めることでネックレス２を環状につないでもよい。
【００３７】
こうして、連結具３によって、ブローチ１とネックレス２とが、ネックレス２の留め具２０１部分において、容易に連結される。また、コイルバネ８は、その弾性力によってピン部材１０１を挟むようにして保持し、ピン部材１０１に対してその長手方向に移動することなく、あるいは、移動が制限されて取り付けられるので、ブローチ１とネックレス２の留め具２０１との位置関係、すなわち、ブローチ１とネックレス２との位置関係が保持される。さらに、コイルバネ８（連結具本体４）が、ピン部材１０１に交差するようにして取り付けられていることで、コイルバネ８（連結具本体４）のピン部材１０１より下方に位置する部分８ａは、ブローチ１が前記ピン部材１０１を軸として、その軸回り方向（図２においては、反時計回り方向）に回動しようとすると、前記ブローチ１の裏面１ａの前記ピン部材１０１よりも下方に位置する部分に当接して、ブローチ１の回動を阻止する。これにより、この連結具３は、前記ブローチ１が、前記ピン部材１０１を軸として、軸回り方向に揺動することを阻止することができる。したがって、ブローチ１とネックレス２とは、見栄えよく連結される。
【００３８】
ところで、コイルバネ８をピン部材１０１に取り付けるには、前述のとおり、ピン部材１０１をコイルバネ８の線材間に圧入するわけであるが、ピン部材１０１を圧入するのは、コイルバネ８の線材間であればどこでもよいので、ピン部材１０１の取付位置をコイルバネ８の軸心方向に移動することができ、取り付け位置の自由度が増す。また、取付位置を変更することで、留め具２０１とブローチ１との位置関係、すなわち、ネックレス２とブローチ１との位置関係を変更することができる。例えば、図４に示すように、ピン部材１０１を圧入する箇所を、コイルバネ８の上部部分にすることで、ブローチ１がネックレス２の留め具２０１の前方に位置するように、すなわち、留め具２０１が前方から見えないように、ブローチ１とネックレス２とを連結することも可能である。
【００３９】
図５および図６は、本発明に係る装身具の連結具および連結方法、並びに装身具と環状装身具とが連結されてなる身飾具の第二の実施の形態を示す。この第二の実施の形態においては、第一の実施の形態と比較して、連結具の形態が異なるのみで、その連結具によって連結される装身具および環状装身具は、第一の実施の形態で示したブローチ１およびネックレス２と同一である。
【００４０】
連結具１０は、連結具本体１１と係合部１２とを備える。この連結具本体１１は、矩形状、詳しくは、長方形形状の本体部１３と、その本体部１３の長手方向の中間部に、その本体部１３と直交するように、すなわち、受け部１０２によって支持されるピン部材１０１が延びる方向と同一方向に延びるように取り付けられる、被取付部１４とを有する。ここで、被取付部１４は、ブローチ１のピン部材１０１を挿通させることができる内径を有するとともに、軸心方向に縮むことが可能なコイルバネ１５からなる。詳しくは、このコイルバネ１５は、例えば、ばね鋼からなる線材が、前記コイルバネ１５の軸心方向において間隔を空けるように巻かれて形成されている。また、コイルバネ１５は、無負荷の状態（コイルバネに外力が加えられていない状態）において、その長さ１５ａが、前記ピン部材１０１の長さより長くなるように形成されている。そして、このコイルバネ１５の中間部分の線材１５ｂ、１５ｂが、ろう付けや溶接等によって、本体部１３に固着されることによって、このコイルバネ１５は、本体部１３に設けられている。
【００４１】
前記係合部１２は、前記本体部１３の一端部（上端部）から延設された延設部１３ｂの先端が鉤状に曲げられて形成されたフック部材からなっている。そして、この係合部１２は、前記ネックレス２のメス留め具２０３に設けられた被係合部２０４に引っ掛けられるようにして、その被係合部２０４と係合する。
【００４２】
この第二の実施の形態の連結具１０の作用効果を説明する。まず、連結具本体１１の被取付部１４をブローチ１のピン部材１０１に取り付ける。詳細には、ブローチ１のピン部材１０１の先端部を受け部１０２から外し、そのピン部材１０１を、被取付部１４を構成しているコイルバネ１５の孔内に通す。このとき、コイルバネ１５は、前記ピン部材１０１よりも長いので、前記ピン部材１０１の先端部は、前記コイルバネ１５から突出していない。そこで、コイルバネ１５を軸心方向に縮め、前記ピン部材１０１の先端部をコイルバネ１５の一端から突出させる。そして、その突出させた先端部を、受け部１０２で受け止めるようにする。こうして、連結部本体１１は、その本体部１３が前記ピン部材１０１と交差するようにして、前記ピン部材１０１に取り付けられる。ここで、コイルバネ１５は、弾性力によって、元の長さに戻ろうとして、受け部１０２と支持部１０３との間で、ピン部材１０１の長さ程度に伸びる。これにより、コイルバネ１５は、その弾性力に勝る外力が加わらなければ、ピン部材１０１の長手方向に移動しないので、連結具本体１１は、ピン部材１０１に、その長手方向に移動することなく、あるいは、移動が制限されて取り付けられる。
【００４３】
次に、連結具本体１１をネックレス２に取り付ける。詳細には、前記係合部１２を、ネックレス２のメス留め具２０３に設けられた被係合部２０４に、引っ掛けるようにして、留め具２０１に係合させる。ネックレス２を環状につなぐことと、係合部１２を被係合部２０４に引っ掛けることとは、どちらが先に行われても構わない。
【００４４】
こうして、連結具１０によって、ブローチ１とネックレス２とが、ネックレス２の留め具２０１部分において、容易に連結される。また、連結具本体１１は、前述のとおり、ピン部材１０１に対して長手方向に移動することなく、あるいは、移動が制限されて取り付けられるので、ブローチ１とネックレス２の留め具２０１との位置関係、すなわち、ブローチ１とネックレス２との位置関係が保持される。さらに、連結具本体１１の本体部１３が、ピン部材１０１に交差するようにして取り付けられるので、前記本体部１３のピン部材１０１より下方に位置する部分１３ａは、ブローチ１が前記ピン部材１０１を軸として、その軸回り方向（図５においては、反時計回り方向）に回動しようとすると、前記ブローチ１の裏面１ａの前記ピン部材１０１よりも下方に位置する部分に当接して、ブローチ１の回動を阻止する。これにより、この連結具１０は、前記ブローチ１が、前記ピン部材１０１を軸として、軸回り方向に揺動することを阻止することができる。したがって、ブローチ１とネックレス２とは、見栄えよく連結される。
【００４５】
図７ないし図９は、本発明に係る装身具の連結具および連結方法、並びに装身具と環状装身具とが連結されてなる身飾具の第三の実施の形態を示す。図中符号Ｍ２は、装身具としてのブローチ１と、環状装身具としてのネックレス２と、それらブローチ１とネックレス２とを連結するためのコイルバネ３１とを備える身飾具である。ここで、ブローチ１は、第一および第二の実施の形態と同様に、ピン部材１０１と受け部１０２と支持部１０３とを有する取付具１０４を備えており、また、ネックレス２は、第一および第二の実施の形態と同様に、例えば真珠を数珠繋ぎに連結した本体２００と、その本体２００の端部に取り付けられるとともに、掛け止めによって前記ネックレス２を環状につなぐことができる留め具２０１とを備えている。この留め具２０１は、前記本体２００の一方の端部に、繋ぎ部２０２ａを介して取り付けられる、一方の留め具である第一の留め具としてのオス留め具２０２と、前記本体２００の他方の端部に、繋ぎ部２０３ａを介して取り付けられるとともに、前記オス留め具２０２を受け止めるように掛り合う、他方の留め具である第二の留め具としての留め具本体を構成するメス留め具２０３とを備えている。
【００４６】
コイルバネ３１は、ピン部材１０１を挿通させることができる内径を有するとともに、軸心方向に縮むことが可能である。詳しくは、コイルバネ３１は、例えば、バネ鋼からなる線材が、そのコイルバネ３１の軸心方向において間隔を空けるように巻かれて形成されている。ここで、このコイルバネ３１の内径は、ブローチ１のピン部材１０１を挿通させることができる大きさ、図示実施の形態においては、図９に示すように、前記ピン部材１０１とオス留め具２０２を同時に挿入させることができる大きさとなっている。さらに、コイルバネ３１は、無負荷の状態（コイルバネに外力が加えられていない状態）において、前記支持部１０３と受け部１０２との間の距離Ｌ以上に長い寸法３１ａを備えるように、図示実施の形態においては、ピン部材１０１の長さよりも長くなっている。
【００４７】
次に、このコイルバネ３１を使用して、ブローチ１とネックレス２とを連結する、連結方法を作用効果とともに説明する。
【００４８】
まず、ブローチ１のピン部材１０１の先端部を受け部１０２から外し、そのピン部材１０１を、コイルバネ３１の前記内径を備える孔内に挿通する。そして、メス留め具２０３を支持部１０３と受け部１０２との間で、支持部１０３近辺における装身具１の裏面１ａに当接させながら（図７参照。）、前記ピン部材１０１の先端部を、前記受け部２０２で受け止めるようにする（図８参照。）。このとき、コイルバネ３１は、ピン部材１０１よりも長いので、前記ピン部材１０１の先端部は、前記コイルバネ３１から突出していない。そこで、コイルバネ３１を軸心方向に縮め、前記ピン部材１０１の先端部をコイルバネ３１の一端から突出させ、その突出させた先端部を受け部２０２で受け止めるようにする。
【００４９】
こうして、コイルバネ３１は、ピン部材１０１に、支持部１０３と受け部１０２との間で取り付けられる。ここで、コイルバネ３１が前述のとおり、ピン部材１０１より長く形成されているので、コイルバネ３１は、元の長さに戻ろうとして、両端部がそれぞれ受け部１０２と支持部１０３とに当接するように伸びる。これにより、コイルバネ３１は、その弾性力に勝る外力が加わらなければ、ピン部材１０１の長手方向に移動しないので、コイルバネ３１は、ピン部材１０１に、その長手方向に移動することなく、あるいは、その移動が制限されて取り付けられる。また、メス留め具２０３またはそのメス留め具２０３とネックレス２の本体２００との繋ぎ部２０３ａ（図示実施の形態においては、繋ぎ部２０３ａ）は、前記コイルバネ３１の線材間、詳しくは、コイルバネ３１の前記支持部１０３近辺の端部部分の線材間に圧入されるようにして、そのコイルバネ３１の線材間に弾性的に保持されつつ、前記ピン部材１０１と前記ブローチ１の裏面１ａとの間に挟まれる。したがって、メス留め具２０３と本体２００とをつなぐ繋ぎ部２０３ａは、ブローチ１の受け部１０２と支持部１０３との間の所定位置、詳しくは、支持部１０３近辺の位置に保持されるようにして、ブローチ１に係止される。
【００５０】
次に、オス留め具２０２を、ピン部材１０１に取り付けられた前記コイルバネ３１の前記孔内に、その開口端３２、詳しくは、受け部１０３側の開口端３２から挿入する（図９参照。）。ここで、コイルバネ３１は、前述のとおり、その両端部がそれぞれ支持部１０３と受け部１０２とに当接するように伸びるので、コイルバネ３１の孔内に挿入された前記オス留め具２０２は、受け部１０２と干渉することで、前記コイルバネ３１から抜け出ることなく、その孔内に保持される。これにより、オス留め具２０２は、ブローチ１の受け部１０２と支持部１０３との間の所定位置、詳しくは、受け部１０２近辺の位置に保持されるようにして、ブローチ１に係止される。
【００５１】
このようにして、オス留め具２０２およびメス留め具２０３（詳しくは、オス留め具２０３と本体２００とをつなぐ繋ぎ部２０３ａ）が、コイルバネ３１を介して、ブローチ１に係止されるので、ブローチ１とネックレス２とは、容易に連結される。また、オス留め具２０２およびメス留め具２０３が、所定位置に保持されるようにして、ブローチ１に係止されることから、ブローチ１とネックレス２の位置関係が保持されるので、ブローチ１とネックレス２とは、見栄えよく連結される。
【００５２】
なお、オス留め具２０２をブローチ１に取り付けるに際して、コイルバネ３１の前記孔内にその開口端３２からオス留め具２０２を挿入しているが、これに限定されるわけではなく、図１０に示すように、オス留め具２０２を、コイルバネ３１の線材間、詳しくは、受け部１０２近辺の端部部分の線材間に、ピン部材１０１と交差するように圧入してもよい。これによれば、オス留め具２０１は、コイルバネ３１の線材間に弾性的に保持されて、受け部１０２と支持部１０３との間の所定位置に保持されるようにして、ブローチ１に係止される。また、オス留め具２０２は、受け部１０２近辺に保持され、一方、メス留め具２０３は、支持部１０３近辺に保持されているが、逆に、オス留め具２０２が支持部１０３近辺に保持され、そして、メス留め具２０３が受け部１０２近辺に保持されてもよい。さらには、オス留め具２０２およびメス留め具２０３の保持される位置は、受け部１０２と支持部１０３との間であればどこでもよく、受け部１０２近辺あるいは支持部１０３近辺である必要はない。
【００５３】
また、ブローチ１とネックレス２とを、コイルバネ３１を使用して連結する、装身具の連結方法は、前記連結方法以外に種々の方法が考えられる。例えば、オス留め具２０２をブローチ１に係止させるに際して、メス留め具２０３をブローチ１に係止させる場合と同じように、コイルバネ３１にピン部材１０１を挿通した状態で、オス留め具２０２を支持部１０３と受け部１０２との間で、装身具１の裏面１ａに当接させながら、前記ピン部材１０１の先端部を、前記受け部２０２で受け止めるようにしてもよい。これによれば、オス留め具２０２またはそのオス留め具２０２とネックレス２の本体２００との繋ぎ部２０２ａは、前記コイルバネ３１の線材間に圧入されるようにして、そのコイルバネ３１の線材間に弾性的に保持されつつ、前記ピン部材１０１と前記ブローチ１の裏面１ａとの間に挟まれる。これにより、オス留め具２０２は、ブローチ１に係止される。
【００５４】
また、オス留め具２０２またはそのオス留め具２０２とネックレス２の本体２００との繋ぎ部２０２ａ、および、メス留め具２０３またはそのメス留め具２０３と前記本体２００との繋ぎ部２０３ａを予め、コイルバネ３１の線材間に圧入して、その線材間に弾性的に保持させる。そして、そのコイルバネ３１の孔内にピン部材１０１を挿通し、その先端部を受け部１０２で受け止めるようにして、コイルバネ３１を、ピン部材１０１に、支持部１０３と受け部１０２との間で取り付けてもよい。
【００５５】
また、メス留め具２０３またはそのメス留め具２０３と前記本体２００との繋ぎ部２０３ａのみを、コイルバネ３１の線材間に圧入して、その線材間に弾性的に保持させる。そして、このコイルバネ３１にピン部材１０１を挿通し、先端部を受け部１０２で受け止めるようにして、メス留め具２０３または前記繋ぎ部２０３ａを、まずブローチ１に係止させる。しかる後に、オス留め具２０２をコイルバネ３１の前記孔内にその開口端から挿入するか、あるいは、コイルバネ３１の線材間に圧入してもよい。
【００５６】
ところで、コイルバネ３１の長さが、受け部１０２および支持部１０３との間の距離Ｌ以上に長いのは、第一に、コイルバネ３１がピン部材１０１に取り付けられた際に、ピン部材１０１に対して容易にその長手方向に移動することがないようにするためであり、第二に、オス留め具２０２をコイルバネ３１の開口端３２から挿入することでコイルバネ３１の前記孔の内部に保持させて、ブローチ１に係止させることができるようにするためである。したがって、コイルバネ３１が長手方向に移動してもよいか、あるいは、オス留め具２０２をコイルバネ３１の前記孔内に挿入する方法以外でブローチ１に係止させるのであれば、必ずしも、受け部１０２および支持部１０３との間の距離Ｌ以上に長い必要はない。
【００５７】
なお、本発明は、上述した実施の形態に限定されるわけではなく、その他種々の変更が可能である。ピン部材を備える装身具は、ブローチ１に限定されるわけではなく、被装飾体への取付手段としてピン部材を備えるものであればよく、例えば、コサージュであってもよい。また、環状装身具とは、両端の留め具によって環状に形成されるものであればよく、ネックレス２に限定されず、例えば、アンクレット、ブレスレット等であってもよい。
【００５８】
また、第一の実施の形態においては、連結具本体４と被取付部６とが、一つのコイルバネ８によって構成されているが、図１１に示すように、被取付部２４のみを弾性部材としてのコイルバネ２５にて構成してもよい。詳しくは、連結具２０は、連結具本体２１と、係合部２２とを備える。この連結具本体２１は、本体部２３と、被取付部２４とを有する。ここで、本体部２３および係合部２２は、第二の実施の形態に示した本体部１３および係合部１２と同一である。被取付部２４は、第一の実施の形態のコイルバネ８と比べ、長さが短いほかは、ほぼ同じ形状のコイルバネ２５からなっている。そして、このコイルバネ２５は、その軸心方向が、前記本体部２３の長手方向と同一となるように、すなわち、横方向に延びるようにして支持されるピン部材１０１に対して、ほぼ直交位置するように前記本体部２３の中間部に取り付けられている。詳しくは、コイルバネ２５の上端部に位置する線材が、ろう付けや溶接等によって、本体部２３に固着されることによって、前記コイルバネ２５は、本体部２３に設けられている。
【００５９】
この連結具２０によれば、第一の実施の形態と同様に、コイルバネ２５の線材間にピン部材１０１の長手方向の中間部を圧入することで、コイルバネ２５が、弾性力によってピン部材１０１を挟むように保持することにより、連結具本体２１は、ピン部材１０１に対してその長手方向に移動することなく、あるいは、移動が制限されて取り付けられるので、装身具としてのブローチ１と、環状装身具としてのネックレス２との位置関係が保持される。また、第二の実施の形態と同様に、前記本体部２３のピン部材１０１より下方に位置する部分２３ａが、前記ブローチ１の裏面１ａの前記ピン部材１０１よりも下方に位置する部分に当接して、ブローチ１の回動を阻止するので、この連結具２０は、前記ブローチ１が、前記ピン部材１０１を軸として、軸回り方向に揺動することを阻止することができる。したがって、ブローチ１とネックレス２とは、見栄えよく連結される。
【００６０】
また、被取付部２４は、弾性力によってピン部材１０１を保持することができれば、コイルバネ２５でなくてもよく、例えば、クリップ等の挟持具によって構成されてもよい。
【００６１】
また、第二の実施の形態においては、被取付部１４は、コイルバネ１５からなっているが、コイルバネ１５に限定されるわけではなく、図１２に示すように、ピン部材１０１を挿通させることができる内径を有するとともに、ピン部材１０１の先端部が突出することができる程度の長さ（図示実施の形態においては、受け部１０２と支持部１０３との離間寸法よりも僅かに短い長さ）を有する、管状部材１６であってもよい。この管状部材１６は、本体部１３の長手方向の中間部に、その本体部１３と直交するように、すなわち、受け部１０２によって支持されるピン部材１０１が延びる方向と同一方向に延びるように、固着される。そして、この管状部材１６に前記ピン部材１０１を挿通させ、管状部材１６の一端から突出したピン部材１０１の先端部を受け部１０２で受け止めるようにすると、連結具本体１１は、ピン部材１０１に取り付けられる。ここで、管状部材１６は、ピン部材１０１より短いことから、ピン部材１０１に対して長手方向に移動可能であるが、前述のとおり、受け部１０２と支持部１０３との離間寸法よりも僅かに短いだけであるので、管状部材１６の一方の端部１６ａが受け部１０２に当接する位置と、他方の端部１６ｂが支持部１０３と当接する位置との間でのみ移動することとなる。すなわち、連結具本体１１は、ピン部材１０１に対してその長手方向に移動が制限されて（移動範囲が制限されて）取り付けられる。これにより、装身具としてのブローチ１と、環状装身具としてのネックレス２との位置関係が保持される。なお、管状部材１６が、受け部１０２と支持部１０３との離間寸法と同一の長さであると、連結具本体１１は、ピン部材１０１に対してその長手方向に移動することなく取り付けられることとなる。
【００６２】
また、被係合部２０４および係合部５、１２、２２は、図示実施の形態に限定されるわけではない。例えば、係合部５、１２、２２は、先端に突起を備えるものであり、一方、被係合部２０４は、前記突起が嵌まり込む穴部を備えるものであって、前記突起を前記穴部に嵌入することによって、係合部５、１２、２２と被係合部２０４とが係合してもよい。また、逆に、被係合部２０４が突起からなり、係合部５、１２、２２が、前記突起が嵌まり込む穴部を備えるものであってもよい。さらに、図示実施の形態においては、被係合部５、１２、２２は、第二の留め具としてのメス留め具２０３に設けられているが、これは、オス留め具２０２とメス留め具２０３との大きさを比較したときに、メス留め具２０３の方が大きく、被係合部５、１２、２２を設け易いからであり、例えば、第一の留め具としてのオス留め具２０２の方が大きく、被係合部５、１２、２２を設け易いのであれば、オス留め具２０２に設けられてもよい。すなわち、被係合部５、１２、２２は、第一の留め具としてのオス留め具２０２、あるいは、第二の留め具としてのメス留め具２０３のいずれに設けられてもよい。
【００６３】
また、係合部５、１２、２２は、ネックレス２のメス留め具２０３に設けられた被係合部２０４を介して、留め具２０１と係合するものに限定されず、被係合部２０４を介さずに、すなわち、留め具２０１に直接係合するものであってもよい。例えば、留め具２０１の留め具本体等を挟持するようにして係合するようなクリップ等の挟持具であってもよい。あるいは、ヒンジ部を介して開閉可能な分割体からなる容器によって係合部を構成し、その容器内に前記留め具２０１を収容するようにして、前記留め具２０１と係合するものであってもよい。
【図面の簡単な説明】
【００６４】
【図１】この発明に係る装身具の連結具および連結方法、並びに装身具と環状装身具とが連結されてなる身飾具の、第一の実施の形態の背面図である。
【図２】同じく、図１における、Ａ−Ａ断面図である。
【図３】同じく、環状装身具の留め具の掛け止めが解除された状態における、環状装身具の背面図である。
【図４】同じく、装身具と環状装身具とを、環状装身具の留め具が前方から見えないように、連結したときの図２相当図である。
【図５】この発明に係る装身具の連結具および連結方法、並びに装身具と環状装身具とが連結されてなる身飾具の、第二の実施の形態の背面図である。
【図６】同じく、図４における、Ｂ−Ｂ断面図である。
【図７】この発明に係る装身具の連結具および連結方法、並びに装身具と環状装身具とが連結されてなる身飾具の、第三の実施の形態における、連結方法を説明する第一番目の背面図である。
【図８】同じく、連結方法を説明する第二番目の背面図である。
【図９】同じく、装身具と環状装身具とが連結された状態の背面図である。
【図１０】同じく、その他の連結方法で、装身具と環状装身具とが連結された状態の背面図である。
【図１１】この発明に係る装身具の連結具および連結方法、並びに装身具と環状装身具とが連結されてなる身飾具の、その他の実施の形態の背面図である。
【図１２】この発明に係る装身具の連結具および連結方法、並びに装身具と環状装身具とが連結されてなる身飾具の、さらにその他の実施の形態の背面図である。
【符号の説明】
【００６５】
１    ブローチ（装身具）
２    ネックレス（環状装身具）
３、１０、２０  連結具
４、１１、２１  連結具本体
５、１２、２２  係合部
６、１４、２４  被取付部
８、１５、２５、３１  コイルバネ
１６  管状部材
３２  開口端
１０１  ピン部材
１０２  受け部
１０３  支持部
２００  本体
２０１  留め具
２０２  オス留め具（第一の留め具）
２０３  メス留め具（第二の留め具）
２０２ａ、２０３ａ  繋ぎ部
２０４  被係合部
Ｍ１、Ｍ２  身飾具
【図１】
2005261865.tif 000003
【図２】
2005261865.tif 000004
【図３】
2005261865.tif 000005
【図４】
2005261865.tif 000006
【図５】
2005261865.tif 000007
【図６】
2005261865.tif 000008
【図７】
2005261865.tif 000009
【図８】
2005261865.tif 000010
【図９】
2005261865.tif 000011
【図１０】
2005261865.tif 000012
【図１１】
2005261865.tif 000013
【図１２】
2005261865.tif 000014